(57)【要約】      （修正有）【課題】綿が一方側に寄ることがなく、キルト加工の縫い目に食べ物や埃が詰まることがなく、さらに、縫い目から出てくる綿の掃除する手間を少なくするこたつ掛け布団を提供する。【解決手段】表地２０、中間地２２及び裏地２１と、中間地２２と裏地２１との間に設けられる綿２３と、を有する複数層構造部を備え、中間地２２及び裏地２１が連結され、綿２３が中間地２２と裏地２１との間に充填され、さらに、綿２３を通じて中間地２２と裏地２１とがキルト加工されており、キルト加工された中間地２２を覆うように表地２０が配置され、表地２０が中間地２２及び裏地２１に連結されている。【選択図】図３
0003213077.tif 000002
【実用新案登録請求の範囲】
【請求項１】
表地、中間地及び裏地と、
前記中間地と前記裏地との間に設けられる綿と、を有する複数層構造部を備え、
前記中間地及び前記裏地が連結され、前記綿が前記中間地と前記裏地との間に充填され、さらに、前記綿を通じて前記中間地と前記裏地とがキルト加工されており、
前記キルト加工された前記中間地を覆うように前記表地が配置され、前記表地が前記中間地及び前記裏地に連結されている
ことを特徴とするこたつ掛け布団。
【請求項２】
こたつの天板が載せられる矩形状の天面部と、
前記天面部の周囲に配置される側面部と、を備え、
前記側面部は、前記複数層構造部からなると共に、前記天面部の各辺に連結される
ことを特徴とする請求項１に記載のこたつ掛け布団。
【請求項３】
さらに、コーナー面部を備え、
前記コーナー面部は、前記綿を備えておらず、隣接する前記側面部に連結される
ことを特徴とする請求項２に記載のこたつ掛け布団。
【考案の詳細な説明】
【技術分野】
【０００１】
本考案は、こたつに掛けられるこたつ掛け布団に関する。
【背景技術】
【０００２】
こたつ掛け布団は、一般的に、断熱性が向上するように、表地と裏地との間の内部に綿が充填されている。そして、こたつ掛け布団を洗濯した後に内部の綿が一方側に寄らないようにするために、こたつ掛け布団はキルト加工されることがある。キルト加工されたこたつ掛け布団は、綿を通して表地と裏地とが刺し縫いされており、表地と裏地とにキルト加工の縫い目（キルトライン）が設けられる。
【０００３】
こたつ掛け布団が掛けられたこたつで食事をすると、細かな食べ物が表地のキルト加工の縫い目に詰まることがある。また、こたつで食事をしなくても、表地の縫い目に細かな埃が詰まることがある。そのため、縫い目に詰まる食べ物や埃を取り除く手間がかかるという問題がある。さらに、表地及び裏地の縫い目から内部の綿が出てきて、掃除する手間がかかるという問題もある。
【考案の概要】
【考案が解決しようとする課題】
【０００４】
そこで、本考案が解決しようとする課題は、綿が一方側に寄ることがなく、キルト加工の縫い目に食べ物や埃が詰まることがなく、さらに、縫い目から出てくる綿の掃除する手間を少なくするこたつ掛け布団を提供することにある。
【課題を解決するための手段】
【０００５】
上記の課題を解決するために、本考案に係るこたつ掛け布団は、
表地、中間地及び裏地と、
中間地と裏地との間に設けられる綿と、を有する複数層構造部を備え、
中間地及び裏地が連結され、綿が中間地と裏地との間に充填され、さらに、綿を通じて中間地と裏地とがキルト加工されており、
キルト加工された中間地を覆うように表地が配置され、表地が中間地及び裏地に連結されている。
【０００６】
好ましくは、
こたつの天板が載せられる矩形状の天面部と、
天面部の周囲に配置される側面部と、を備え、
側面部は、複数層構造部からなると共に、天面部の各辺に連結される。
【０００７】
好ましくは、
さらに、コーナー面部を備え、
コーナー面部は、綿を備えておらず、隣接する側面部に連結される。
【考案の効果】
【０００８】
本考案に係るこたつ掛け布団は、綿が一方側に寄ることがなく、キルト加工の縫い目に食べ物や埃が詰まることがなく、さらに、内部から出てくる綿を掃除する手間を少なくできる。
【図面の簡単な説明】
【０００９】
【図１】こたつ掛け布団を示す表面図。
【図２】こたつ掛け布団を示す裏面図。
【図３】図１のＡ−Ａ線断面図。
【考案を実施するための形態】
【００１０】
以下、図面に基づいて、本考案に係るこたつ掛け布団の一実施形態を説明する。
【００１１】
図１〜図３の通り、こたつ掛け布団は、天面部１、側面部２及びコーナー面部３を備える。こたつ掛け布団をこたつに掛けたときに、天面部１にこたつの天板（不図示）が載せられる。本実施形態では、天面部１は正方形である。天面部１の各辺の長さは、こたつの天板の各辺の長さに合わせられる。そのため、こたつの天板が長方形のとき、天面部１は長方形となる。
【００１２】
側面部２は、天面部１の各辺に連結される。側面部２と天面部１とは、一般的には縫製で連結されるが、接着剤等で連結されてもよい。側面部２は、こたつの使用者の腰や膝等に載せられる。そのため、側面部２は、断熱性に優れるように構成される。本実施形態では、側面部２は、長方形である。側面部２の各辺の長さは、こたつの大きさに合わせられる。
【００１３】
コーナー面部３は、隣接する側面部２に連結される。コーナー面部３と側面部２とは、一般的には縫製で連結されるが、接着剤等で連結されてもよい。側面部２が使用者の膝等に載せられて床から離れるときに、こたつの熱が外部に漏れ出にくくするために、コーナー面部３が薄い生地（例えば一枚の生地）で構成されて床に密着しやすくなっている。なお、コーナー面部３はなくてもよく、その場合は、側面部２だけが天面部１の周囲に設けられる。
【００１４】
図１及び図２の通り、こたつ掛け布団は、天面部１、側面部２及びコーナー面部３を互いに連結する部分に連結ライン６が設けられる。また、こたつ掛け布団の外周囲となる側面部２及びコーナー面部３にわたって、ヘム生地５が縫着される。
【００１５】
図３の通り、天面部１は、表地１０と裏地１１とを備える。表地１０と裏地１１とは、その周囲で連結（縫着等）される。本実施形態では、天面部１は、キルト加工されていないが、キルト加工されてもよい。
【００１６】
図３の通り、側面部２は、表地２０、中間地２２及び裏地２１と、中間地２２と裏地２１との間に設けられる綿２３と、を有する複数層構造部を備える。側面部２は、中間地２２と裏地２１との間に綿２３が充填されているので、断熱性に優れる。
【００１７】
さらに、側面部２は、キルト加工されている。側面部２は、綿２３を通して中間地２２と裏地２１とがキルト加工されているので、洗濯後に綿２３が一方側に寄ることがない。図２及び図３の通り、側面部２は、綿２３を通して中間地２２と裏地２１とが刺し縫いされており、中間地２２と裏地２１とにキルト加工の縫い目（キルトライン）２４が設けられる。
【００１８】
さらに、側面部２は、キルト加工された中間地２２を覆うように表地２０が配置されている。すなわち、表地２０は、中間地２２の周囲で連結（縫着等）される。図１の通り、表地２０が、中間地２２のキルト加工の縫い目２４を覆うので、キルト加工の縫い目２４に食べ物や埃が詰まることがない。また、中間地２２の縫い目２４から出てくる綿２３を表地２０で遮蔽できるので、出てくる綿２３の掃除する手間を少なくできる。
【００１９】
以上、本考案の好ましい実施形態を説明したが、本考案の構成はこれらの実施形態に限定されるものではない。
【００２０】
本考案の効果について説明する。
・こたつ掛け布団は、中間地と裏地との間に綿が充填されているので、断熱性に優れる。
・こたつ掛け布団は、綿を通して中間地と裏地とがキルト加工されているので、洗濯後に綿が一方側に寄ることがない。
・こたつ掛け布団は、キルト加工された中間地を覆うように表地が配置されているので、キルト加工の縫い目に食べ物や埃が詰まることがない。また、中間地の縫い目から出てくる綿を表地で遮蔽できるので、出てくる綿の掃除する手間を少なくできる。
【符号の説明】
【００２１】
１  天面部
２  側面部
３  コーナー面部
２０  表地
２１  裏地
２２  中間地
２３  綿
２４  キルト加工の縫い目
【図１】
0003213077.tif 000003
【図２】
0003213077.tif 000004
【図３】
0003213077.tif 000005